(57)【特許請求の範囲】
【請求項１】
ソケット本体に対して押さえカバーが回動軸により開閉可能に設けられ、該押さえカバーを閉止することにより、前記ソケット本体に載置されたＩＣパッケージを押圧するようにしたＩＣソケットにおいて、
前記押さえカバーと前記ソケット本体とを閉止した状態にロックするストッパー手段を設け、又、該ストッパー手段による閉止状態よりも更に前記押さえカバーを前記ソケット本体側に回動させて近接させる近接手段を設け、
前記ストッパー手段は、ストッパーが前記押さえカバーに対して支持軸で軸支され、該支持軸は前記押さえカバーに対して前記回動軸を中心とする円の接線方向に移動可能に支持され、更に、前記ストッパーが係止するストッパー係止部が前記ソケット本体に設けられ、
一方、前記近接手段は、前記支持軸に離間部材が設けられると共に、該離間部材にレバー部材が設けられ、前記支持軸に軸支された前記ストッパーが前記ストッパー係止部に係止した状態で、該レバー部材を操作して前記離間部材を一方向に回動させることにより、前記支持軸と前記押さえカバーとの間に介在する前記離間部材により、前記支持軸と前記押さえカバーとが離間し、前記押さえカバーが前記ソケット本体に近接する方向に押圧されるように構成されたことを特徴とするＩＣソケット。
【請求項２】
ソケット本体に対して押さえカバーが回動軸により開閉可能に設けられ、該押さえカバーを閉止することにより、前記ソケット本体に載置されたＩＣパッケージを押圧するようにしたＩＣソケットにおいて、
前記押さえカバーと前記ソケット本体とを閉止した状態にロックするストッパー手段を設け、又、該ストッパー手段による閉止状態よりも更に前記押さえカバーを前記ソケット本体側に回動させて近接させる近接手段を設け、
前記ストッパー手段は、ストッパーが前記ソケット本体にストッパー支軸により軸支され、該ストッパーが係止する支持軸が前記押さえカバーに設けられ、該支持軸は前記押さえカバーに対して前記回動軸を中心とする円の接線方向に移動可能に支持され、
一方、前記近接手段は、前記支持軸に離間部材が設けられると共に、該離間部材にレバー部材が設けられ、前記ストッパー支軸に軸支された前記ストッパーが前記支持軸に係止した状態で、該レバー部材を操作して前記離間部材を一方向に回動させることにより、前記支持軸と前記押さえカバーとの間に介在する前記離間部材により、前記支持軸と前記押さえカバーとが離間し、前記押さえカバーが前記ソケット本体に近接する方向に押圧されるように構成されたことを特徴とするＩＣソケット。
【請求項３】
前記離間部材は、カム部材であり、該カム部材を前記一方向に回動させて、該カム部材のカム面を前記押さえカバー上面を摺動させて、前記支持軸を前記押さえカバー上面より離間させるようにしたことを特徴とする請求項１又は２記載のＩＣソケット。
【請求項４】
前記離間部材は、一部に突部が形成され、該離間部材を前記一方向に回動させて、前記突部を前記押さえカバー上面を摺動させて、前記支持軸を前記押さえカバー上面より離間させるようにしたことを特徴とする請求項１又は２記載のＩＣソケット。
【請求項５】
前記離間部材には、他方向に回動させることにより、前記ストッパーを押圧して係止状態を解除する作動部が設けられていることを特徴とする請求項１乃至４の何れか一つに記載のＩＣソケット。
【発明の詳細な説明】
【０００１】
【発明の属する技術分野】
この発明は、ＩＣパッケージを着脱自在に保持するＩＣソケット、特に、ＩＣパッケージに対する押圧力を強くするための機構を有するＩＣソケットに関するものである。
【０００２】
【従来の技術】
従来のこの種のＩＣソケットとしては、例えば図１５に示すようなものがある（米国特許５１２０２３８号）。
【０００３】
すなわち、符号１はソケット本体で、このソケット本体１にＩＣパッケージ２が載置されてコンタクトピン１ａに導通されるようになっており、このソケット本体１に押さえカバー３が軸４により回動自在に設けられている。
【０００４】
そして、この押さえカバー３の先端部側にレバー部材５が軸６により回動自在に取り付けられると共に、このレバー部材５のその軸６とは離間した位置に軸７を介してストッパー８が回動自在に設けられ、このストッパー８の引掛け部８ａがソケット本体１の被係止部１ｂに係脱されるようになっている。
【０００５】
このようなものにあっては、図１５に示すように、ストッパー８の引掛け部８ａをソケット本体１の被係止部１ｂに係止した状態で、レバー部材５を反時計回りに回動させると、軸６を中心に軸７が反時計回りに回動する。
【０００６】
その結果、軸７からストッパー引掛け部８ａまでの距離は変化しないことから、その回動に伴い、押さえカバー３が下方に回動されることにより、ＩＣパッケージ２に対する押圧力が大きくなる。
【０００７】
【発明が解決しようとする課題】
しかしながら、このような従来のものにあっては、２つの軸６，７の回動動作を用いて押さえカバー３を押し下げるようにしているため、構造が複雑になると共に、押下げ量を変えるためには両軸６，７の間隔を大きくする等の改良が必要となり、簡単に押下げ量を変えることができない、という問題がある。
【０００８】
そこで、この発明は、簡単な構造で押さえカバーを押し下げることができるようにすると共に、押下げ量も簡単に変えることができるＩＣソケットを提供することを課題としている。
【０００９】
【課題を解決するための手段】
かかる課題を達成するために、請求項１に記載の発明は、ソケット本体に対して押さえカバーが回動軸により開閉可能に設けられ、該押さえカバーを閉止することにより、前記ソケット本体に載置されたＩＣパッケージを押圧するようにしたＩＣソケットにおいて、前記押さえカバーと前記ソケット本体とを閉止した状態にロックするストッパー手段を設け、又、該ストッパー手段による閉止状態よりも更に前記押さえカバーを前記ソケット本体側に回動させて近接させる近接手段を設け、前記ストッパー手段は、ストッパーが前記押さえカバーに対して支持軸で軸支され、該支持軸は前記押さえカバーに対して前記回動軸を中心とする円の接線方向に移動可能に支持され、更に、前記ストッパーが係止するストッパー係止部が前記ソケット本体に設けられ、一方、前記近接手段は、前記支持軸に離間部材が設けられると共に、該離間部材にレバー部材が設けられ、前記支持軸に軸支された前記ストッパーが前記ストッパー係止部に係止した状態で、該レバー部材を操作して前記離間部材を一方向に回動させることにより、前記支持軸と前記押さえカバーとの間に介在する前記離間部材により、前記支持軸と前記押さえカバーとが離間し、前記押さえカバーが前記ソケット本体に近接する方向に押圧されるように構成されたＩＣソケットとしたことを特徴とする。
【００１０】
請求項２に記載の発明は、ソケット本体に対して押さえカバーが回動軸により開閉可能に設けられ、該押さえカバーを閉止することにより、前記ソケット本体に載置されたＩＣパッケージを押圧するようにしたＩＣソケットにおいて、前記押さえカバーと前記ソケット本体とを閉止した状態にロックするストッパー手段を設け、又、該ストッパー手段による閉止状態よりも更に前記押さえカバーを前記ソケット本体側に回動させて近接させる近接手段を設け、前記ストッパー手段は、ストッパーが前記ソケット本体にストッパー支軸により軸支され、該ストッパーが係止する支持軸が前記押さえカバーに設けられ、該支持軸は前記押さえカバーに対して前記回動軸を中心とする円の接線方向に移動可能に支持され、一方、前記近接手段は、前記支持軸に離間部材が設けられると共に、該離間部材にレバー部材が設けられ、前記ストッパー支軸に軸支された前記ストッパーが前記支持軸に係止した状態で、該レバー部材を操作して前記離間部材を一方向に回動させることにより、前記支持軸と前記押さえカバーとの間に介在する前記離間部材により、前記支持軸と前記押さえカバーとが離間し、前記押さえカバーが前記ソケット本体に近接する方向に押圧されるように構成されたＩＣソケットとしたことを特徴とする。
【００１１】
請求項３に記載の発明は、請求項１又は２に記載の構成に加え、前記離間部材は、カム部材であり、該カム部材を前記一方向に回動させて、該カム部材のカム面を前記押さえカバー上面を摺動させて、前記支持軸を前記押さえカバー上面より離間させるようにしたことを特徴とする。
【００１２】
請求項４に記載の発明は、請求項１又は２に記載の構成に加え、前記離間部材は、一部に突部が形成され、該離間部材を前記一方向に回動させて、前記突部を前記押さえカバー上面を摺動させて、前記支持軸を前記押さえカバー上面より離間させるようにしたことを特徴とする。また、請求項５に記載の発明は、請求項１乃至４の何れか一つに記載の構成に加え、前記離間部材には、他方向に回動させることにより、前記ストッパーを押圧して係止状態を解除する作動部が設けられていることを特徴とする。
【００１４】
【発明の実施の形態】
以下、この発明の実施の形態について説明する。
【００１５】
［発明の実施の形態１］
図１乃至図１２には、この発明の実施の形態１を示す。
【００１６】
まず構成を説明すると、図中符号１１はＩＣソケットで、このＩＣソケット１１は、図１１に示すようなＩＣパッケージ１２を着脱自在に保持し、このＩＣパッケージ１２の性能試験を行うために、このＩＣパッケージ１２の端子１２ｂを測定器（テスター）のプリント回路基板（図示省略）に電気的に接続するようにしている。
【００１７】
そのＩＣパッケージ１２は、パッケージ本体１２ａの下面の周縁部から多数のボール状の端子１２ｂが突出し、パッケージ本体１２ａの上部には放熱部１２ｃが上方に突出して設けられている。
【００１８】
一方、ＩＣソケット１１は、大略すると、ＩＣパッケージ１２が載置されるソケット本体１３を有し、このソケット本体１３に、回動軸１４を介して押さえカバー１５が回動自在に配設され、この押さえカバー１５を下方に向けて回動させることにより、この押さえカバー１５に取り付けられた保持部材１６にて、ソケット本体１３上に載置されたＩＣパッケージ１２が上方から押さえられるようになっていると共に、この押さえカバー１５に前記保持部材１６により取り付けられたヒートシンク１７がＩＣパッケージ１２に当接されて放熱されるようになっている。
【００１９】
詳しくは、そのソケット本体１３には、四角形の凹所１３ａが形成され、この凹所１３ａの底面部１３ｂに形成された多数の貫通孔１３ｃにコンタクトピン１８が挿入されている。このコンタクトピン１８は、導電性を有する材料で形成され、上端部１８ａがフローティングプレート２０の挿通孔２０ａに挿通されて取り付けられ、このコンタクトピン１８の中間部には、弾性変形可能なバネ部１８ｂが形成されている。かかるコンタクトピン１８の上端部１８ａに、ＩＣパッケージ１２の端子１２ｂが当接されるようになっている。
【００２０】
なお、符号２１はロケートボードで、このロケートボード２１の挿通孔２１ａにコンタクトピン１８の下端部が挿通された状態で、上下動自在に配設されている。
【００２１】
一方、押さえカバー１５は、基端部側が前記回動軸１４によりソケット本体１３に回動自在に取り付けられ、スプリング２３により開成方向に付勢されている。また、この押さえカバー１５の先端部側には、「ストッパー手段」としてのストッパー２５が支持軸２６により軸支され、この支持軸２６が押さえカバー１５に設けられた長孔１５ａに挿入されて上下動可能（回動軸１４を中心とする円の接線方向に移動可能）に遊嵌されている（図５参照）。そして、このストッパー２５がスプリング２７により図１中反時計回りに付勢され、ソケット本体１３に形成されたストッパー係止部１３ｄに係止されるようになっている。
【００２２】
また、この支持軸２６は、押さえカバー１５に設けられたリーフスプリング１５ｃにより上下動したときにも、押さえカバー１５側へ常に付勢されている（図２参照）。
【００２３】
さらに、その係止状態よりも、押さえカバー１５をソケット本体１３に更に接近させる「近接手段」が設けられている。
【００２４】
すなわち、この「近接手段」は、前記支持軸２６に「離間部材」としての一対のカム部材２９が回動自在に設けられ、これらカム部材２９にコ字状のレバー部材３０が接続されている。そして、このカム部材２９のカム面２９ａが、押さえカバー１５の上面に摺接し、レバー部材３０を回動させると、そのカム面２９ａが押さえカバー１５上面を摺動することにより、押さえカバー１５がソケット本体１３側に更に接近させられるようになっている。
【００２５】
また、この押さえカバー１５には、図１０に示すように、略中央部に開口部１５ｄが形成され、この開口部１５ｄに、略コ字状のヒートシンク受け部１５ｅが設けられ、このヒートシンク受け部１５ｅに複数の挿入開口１５ｆが形成されている。
【００２６】
そして、前記開口部１５ｄ内で、前記ヒートシンク受け部１５ｅのソケット本体１３側の内面側に前記ヒートシンク１７が配設されるようになっている。このヒートシンク１７は、板部１７ａの下面にＩＣパッケージ１２の放熱部１２ｃに当接する凸部１７ｂが形成され、又、上面に上方に突出する多数の放熱凸部１７ｃが形成されている。そして、これら放熱凸部１７ｃが前記ヒートシンク受け部１５ｅに形成された多数の挿入開口１５ｆに挿入されている。
【００２７】
さらに、前記保持部材１６は、図１０に示すように、四角形の板状を呈し、中央部にヒートシンク１７の凸部１７ｂが挿入される開口部１６ａが形成され、この開口部１６ａの両側に一対のピン１６ｂが上方に向けて突設され、これらピン１６ｂが押さえカバー１５に形成された貫通孔１５ｇに挿通されて、この貫通孔１５ｇから上方に突出したピン１６ｂの先端部の係止溝１６ｃに、押さえカバー１５外面側に設けられたロックシム３２が係脱可能に設けられている。
【００２８】
このロックシム３２は、図１２に示すように、一対の係止片３２ａとこれら両係止片３２ａを連結する操作片３２ｂとから略コ字状に形成され、それら一対の係止片３２ａにスリット３２ｃが形成されている。このスリット３２ｃには、ピン１６ｂが挿入可能な大きさの挿入部３２ｄが形成され、他の部分はそれより狭く、ピン１６ｂの係止溝１６ｃに係止可能な幅に形成されている。この係止により、ピン１６ｂが抜け止め固定されるようになっている。
【００２９】
さらに、前記ヒートシンク１７には、図３に示すように、複数の位置決めピン１７ｄが下方に突出して設けられ、これら位置決めピン１７ｄが、保持部材１６の嵌合孔１６ｄに嵌合されて位置決めされるようになっている。
【００３０】
さらにまた、ヒートシンク１７の板部１７ａと、押さえカバー１５のヒートシンク受け部１５ｅとの間に、コイルスプリング３４が配設されて、ヒートシンク１７が下方に付勢されている。
【００３１】
これにより、ヒートシンク１７は、ヒートシンク受け部１５ｅと保持部材１６とで着脱可能に挟持されるようになっている。
【００３２】
次に、かかるＩＣソケット１１にＩＣパッケージ１２を保持する場合について説明する。
【００３３】
まず、押さえカバー１５を開いた状態で、ＩＣパッケージ１２をフローティングプレート２０上にガイド突部２０ｂにて案内した状態で所定位置に載置する。この状態で、押さえカバー１５を閉じて行くと、まず、ストッパー２５がソケット本体１３のストッパー係止部１３ｄを乗り越えて係止する。この状態では、レバー部材３０が起立している。
【００３４】
そして、レバー部材３０を図８中時計回りに回動させると、ストッパー２５はスプリング２７により付勢されてストッパー係止部１３ｄに係止した状態で、カム部材２９が支持軸２６を中心に回動し、カム部材２９のカム面２９ａが押さえカバー１５の上面を摺動する。これにより、ストッパー２５がストッパー係止部１３ｄに係止しているため支持軸２６の位置は変化しないと共に、この支持軸２６は押さえカバー１５に対して回動軸１４を中心とする円の接線方向に移動可能とされていることから、この支持軸２６に対して押さえカバー１５の上面は下方に離間する結果、押さえカバー１５が下方に回動され、ソケット本体１３側に接近されることとなる。
【００３５】
これで、押さえカバー１５に取り付けられた保持部材１６により、ＩＣパッケージ１２のパッケージ本体１２ａが所定の押圧力で押圧されて、ＩＣパッケージ１２の端子１２ｂとコンタクトピン１８の上端部１８ａとが所定圧で接触されることとなる。
【００３６】
この接触時には、ＩＣパッケージ１２の端子１２ｂの損傷を防止するため、コンタクトピン１８のバネ部１８ｂが弾性変形することにより、フローティングプレート２０が下方に変位することで、過剰な接触圧を回避している。
【００３７】
また、この際には、ヒートシンク１７の凸部１７ｂが、ＩＣパッケージ１２の放熱部１２ｃに面接触してＩＣパッケージ１２の熱を放熱凸部１７ｃ等から放散するようにしている。この当接状態では、ヒートシンク１７は、コイルスプリング３４の付勢力に抗して多少上方に変位して、保持部材１６との間に間隙が発生している（図１１参照）。
【００３８】
一方、上記のように保持されたＩＣパッケージ１２を取り出すには、上記と反対に、まず、レバー部材３０を回動させて起立させることにより、ストッパー２５とストッパー係止部１３ｄとの係止状態を緩める。次いで、ストッパー２５をスプリング２７の付勢力に抗して回動させて係止状態を解除することにより、スプリング２３の付勢力により、押さえカバー１５が開かれることとなる。この状態で、ＩＣパッケージ１２の取り出しが可能となる。
【００３９】
上記のように、カム部材２９をレバー部材３０を用いて回動させることにより、てこの原理を利用して、ストッパー２５の係止状態より更にＩＣパッケージ１２の押圧力を向上させることができ、ＩＣパッケージ１２の端子１２ｂと、コンタクトピン１８の上端部１８ａとの接触をより確実なものとすることができる。
【００４０】
しかも、このようなカム部材２９を回動させるだけで良いため、従来のような複雑な機構を必要としないと共に、押さえカバー１５の回動量を変えるには、カム面２９ａの形状の異なったカム部材２９と交換するだけで簡単に対応できる。
【００４１】
一方、厚さや大きさ等の異なったＩＣパッケージ１２をＩＣソケット１１に保持する場合には、そのＩＣパッケージ１２に対応したヒートシンク１７に交換する。すなわち、押さえカバー１５を開いた状態で、ロックシム３２の操作片３２ｂを持って、図２中回動軸１４の方向にスライドさせると、保持部材１６のピン１６ｂが、ロックシム３２のスリット３２ｃの挿入部３２ｄの位置に至る。これにより、保持部材１６のピン１６ｂを押さえカバー１５の貫通孔１５ｇから抜くことが出来るため、この保持部材１６とヒートシンク１７とを押さえカバー１５の内側（ソケット本体１３側）に外すことが出来る。
【００４２】
また、他のヒートシンク１７を装着するときには、上記と反対の動作により取り付けることが出来る。
【００４３】
このようにヒートシンク１７を、押さえカバー１５のヒートシンク受け部１５ｅと保持部材１６との間で着脱自在に挟持することにより、この保持部材１６を着脱するだけで簡単にヒートシンク１７を交換することが出来る。
【００４４】
しかも、その保持部材１６の着脱は、押さえカバー１５の外面側で、ロックシム３２を操作することにより行うことが出来るため、着脱作業性が良好である。また、ロックシム３２をピン１６ｂの係止溝１６ｃに抜き差しするだけで、簡単に保持部材１６を着脱できる。
【００４５】
また、保持部材１６は、ヒートシンク１７を押さえる機能と、ＩＣパッケージ１２を押圧する機能を兼ねているため、部品点数の削減を図ることが出来る。
【００４６】
［発明の実施の形態２］
図１３には、この発明の実施の形態２を示す。
【００４７】
この実施の形態２は、上記実施の形態１とストッパー２５の配置が異なっている。すなわち、上記実施の形態１では、ストッパー２５が押さえカバー１５側の支持軸２６に回動自在に設けられ、ソケット本体１３のストッパー係止部１３ｄに係脱されるようになっている。これに対して、この実施の形態２は、ストッパー２５がソケット本体１３のストッパー支軸１３ｅに回動自在に設けられ、図示省略のスプリングにより、時計回りに付勢され、このストッパー２５が押さえカバー１５側に設けられた支持軸２６に係脱されるようになっている。
【００４８】
このようにしても実施の形態１と同様に、押さえカバー１５を閉じて行くと、支持軸２６にストッパー２５が係止し、次いで、レバー部材３０を図１３の（ａ）中矢印Ａ方向に回動させることにより、支持軸２６に設けられたカム部材２９が回動される。これで、カム部材２９のカム面２９ａにて押さえカバー１５の上面が押圧されることにより、ソケット本体１３側により押し付けられることとなる。
【００４９】
また、前記カム部材２９には「作動部」としての作動突部２９ｂが形成され、図１３の（ａ）に示す状態からレバー部材３０を矢印Ｂ方向に回動させることにより、その作動突部２９ｂがストッパー２５を押圧する。これで、ストッパー２５が図１３中反時計回りに回動されることにより、支持軸２６から外れ、押さえカバー１５の開成が可能となる。
【００５０】
このようにすれば、レバー部材３０を持って操作するだけで、押さえカバー１５の開閉が可能となる。
【００５１】
他の構成及び作用は実施の形態１と同様であるので説明を省略する。
【００５２】
［発明の実施の形態３］
図１４には、この発明の実施の形態３を示す。
【００５３】
上記実施の形態１では「離間部材」としてカム面２９ａを有するカム部材２９が用いられているが、この実施の形態３では、突部４０ａを有する離間部材４０が用いられている。
【００５４】
従って、レバー部材３０を操作して離間部材４０を回動させることにより、突部４０ａが押さえカバー１５上面を摺動することにより、てこの原理を利用して、図１４の（ａ）に示す状態から（ｂ）に示す状態まで押さえカバー１５が押し下げられることとなる。
【００５５】
他の構成及び作用は実施の形態１と同様であるので説明を省略する。
【００５６】
なお、この発明の一構成要素である「離間部材」は上記各実施の形態の形状のものに限らず、レバー部材を操作することで回動されて押さえカバー上面を摺動し、てこの原理を利用して軽い操作力で押さえカバーをソケット本体側に回動させることが出来るものであれば、その形状は如何なるものでも良い。
【００５７】
【発明の効果】
以上説明してきたように、請求項１〜５に記載の発明によれば、押さえカバーの回動軸に設けられた離間部材をレバー部材を操作して回動させるだけで、押さえカバーをよりソケット本体側に押し付けることができ、従来と比較すると、簡単な構造で押さえカバーをソケット本体側に押し付けることができる。また、押付け量を変えようとすると、形状の異なる離間部材と交換するだけで、簡単に対応することができる。
【００５８】
請求項３に記載された発明によれば、離間部材をカム部材として一方向に回動させることにより、カム部材の滑らかに変位するカム面を押さえカバー上面に摺動させるようにしたため、押さえカバーのソケット本体側への回動動作をより円滑に行うことができる。
【００５９】
請求項５に記載された発明によれば、離間部材に作動部を設けることにより、一方向と他方向とに離間部材を回動させることで、押さえカバーをソケット本体に押し付けたり、ストッパーの係止状態を解除でき、この離間部材を操作することで、２つの動作を行うことができ、操作性が良好となる。
【００６０】
また、請求項６に記載の発明によれば、押さえカバーが閉止されたときには、電気部品は所定の押圧力で押圧されてはいないので、押さえカバーを閉止するのに必要な操作力を低減することができる。
【図面の簡単な説明】
【図１】この発明の実施の形態に係る図２のＡ−Ａ線に沿う断面図である。
【図２】同実施の形態に係るＩＣソケットの平面図である。
【図３】同実施の形態に係るＩＣソケットの半分を断面した右側面図である。
【図４】同実施の形態に係る押さえカバーを開いた状態のＩＣソケットの断面図である。
【図５】同実施の形態に係る支持軸と押さえカバーとの連結部分を示す側面図である。
【図６】同実施の形態に係るカム部材を示す図で、（ａ）はカム部材等の平面図、（ｂ）は同カム部材の正面図、（ｃ）は（ａ）のＢ−Ｂ線に沿う断面図である。
【図７】同実施の形態に係るレバー部材を示す図で、（ａ）は平面図、（ｂ）は正面図である。
【図８】同実施の形態に係る作用を示す図で、（ａ）はレバー部材を起立させた状態、（ｂ）はレバー部材を倒した状態を示す図である。
【図９】同実施の形態に係る図２のＣーＣ線に沿う断面図である。
【図１０】同実施の形態に係る保持部材，ヒートシンク及び押さえカバーの一部を示す分解斜視図である。
【図１１】同実施の形態に係るＩＣパッケージに保持部材とヒートシンクが当接した状態を示す断面図である。
【図１２】同実施の形態に係るロックシムを示す図で、（ａ）は平面図、（ｂ）は左側面図、（ｃ）は正面図である。
【図１３】この発明の実施の形態２に係る作用を示す図８に相当する図で、（ａ）はレバー部材を起立させた状態、（ｂ）はレバー部材を倒した状態を示す図である。
【図１４】この発明の実施の形態３に係る作用を示す図８に相当する図で、（ａ）はレバー部材を起立させた状態、（ｂ）はレバー部材を倒した状態を示す図である。
【図１５】従来例を示す断面図である。
【符号の説明】
11  ＩＣソケット
12  ＩＣパッケージ
12a ＩＣパッケージ本体
12b 端子
13  ソケット本体
13d ストッパー係止部
13e ストッパー支軸
14  回動軸
15  押さえカバー
18  コンタクトピン
25  ストッパー（ストッパー手段）
26  支持軸
29  カム部材（離間部材）
29a カム面
29b 作動突部（作動部）
30  レバー部材
40  離間部材
40a 突部
【図１】
0003714656.tif 000002
【図２】
0003714656.tif 000003
【図３】
0003714656.tif 000004
【図４】
0003714656.tif 000005
【図５】
0003714656.tif 000006
【図６】
0003714656.tif 000007
【図７】
0003714656.tif 000008
【図８】
0003714656.tif 000009
【図９】
0003714656.tif 000010
【図１０】
0003714656.tif 000011
【図１１】
0003714656.tif 000012
【図１２】
0003714656.tif 000013
【図１３】
0003714656.tif 000014
【図１４】
0003714656.tif 000015
【図１５】
0003714656.tif 000016